(57)【要約】【目的】第１の入賞口に入賞した球を利用して連動杆を作動させ第２の入賞口を開閉操作する入賞装置にあって上記入賞球を上記連動杆に対して常に正確、且つ安定的に作用させて前記第２の入賞口の開閉を確実に行えるようにする。【構成】第１の入賞口と第２の入賞口との間に、上下動する昇降台（７３）と、長さの途中を揺動自由に軸承して一端を昇降台に連結し、他端を前記第２の入賞口を開閉操作する係止部材（８６）に滑合し連結する連動杆（７４）とからなる連動機構（７１）を介挿し、前記第１の入賞口に入賞する球（Ｐ）を前記昇降台（７３）に受けてこの昇降台の下降によって前記連動杆（７４）を揺動させ、前記係止部材（８６）により第２の入賞口を開放操作する。【選択図】図２２
2007267937.tif 000002
【特許請求の範囲】
【請求項１】
上下に摺動自由に支持されると共に、第１の入賞口からの入賞球を受け入れる球受部を有してなる昇降台と、この昇降台の側方に位置して長さの途中を支軸を介して揺動自由に支持し、且つ揺動する内端を前記昇降台に滑合して連結すると共に、外端を第２の入賞口を開放操作する係止部材に滑合し連結する連動杆とを備え、前記連動杆は揺動する外端側に重心を置いて常には該外端を下降位置に保持して上昇する内端により前記昇降台を上昇位置に保持すると共に、前記第１の入賞口を通して入賞球が前記球受部に転入したとき、該入賞球の重量によって前記昇降台を下降させ、前記外端を上昇に転じて前記係止部材を開放作動させ、同時に前記球受部の入賞球を放出して昇降台を前記上昇位置に復元するようにした連動機構を有してなるパチンコ遊技機の入賞装置。
【請求項２】
請求項１の記載において、昇降台は第１の入賞口の後方に設置する摺動枠内部に上下方向に摺動自由に収容すると共に、上昇位置にあるとき球受部の球入口を前記第１の入賞口に連通させ入賞球の受け入れを可能にする一方、下降位置に達したとき前記球受部の入賞球を球出口から放出することを特徴としたパチンコ遊技機の入賞装置。
【請求項３】
請求項２の記載において、昇降台は球受部の球入口を前方に向けて開口させ、また球出口を後方若しくは左右方向に向けて開口させると共に、前記球受部の底部を前記球入口から球出口に向けて下り勾配に形成してなることを特徴としたパチンコ遊技機の入賞装置。
【請求項４】
請求項３の記載において、摺動枠は縦向きの筒体に形成し、内部に昇降台を摺動自由に収めると共に、該昇降台に縦長孔を開設して前記摺動枠に植設する軸を挿通し滑合して昇降台の上下摺動時には該軸を前記縦長孔の上下端に当接し、上下の摺動範囲を規制することを特徴としたパチンコ遊技機の入賞装置。
【請求項５】
請求項１の記載において、連動杆には外端側に他方の内端に連結する昇降台を上昇させる重錘を備え、該連動杆の重心を上記外端側に置くことを特徴としたパチンコ遊技機の入賞装置。
【請求項６】
請求項５の記載において、重錘は連動杆の外端に埋設する連結ピンとし、且つ該連結ピンを係止部材に滑合させて前記連動杆の上昇を係止部材に伝えることを特徴としたパチンコ遊技機の入賞装置。
【請求項７】
請求項１の記載において、連動杆は昇降台の左右に一対備え、それぞれの外端に対応させて左右に少なくとも１個づつの第２の入賞口を設けて該第２の入賞口を開放操作する係止部材と前記左右の連動杆の外端とを滑合連結し、前記昇降台の下降時に前記左右の第２の入賞口を同時に開放操作することを可能にしたパチンコ遊技機の入賞装置。
【請求項８】
請求項１又は７の記載において、昇降台には横長の長孔を形成し、一方連結杆の内端には軸部を設けて上記長孔に滑合し連結させて前記昇降台の上下摺動時に前記軸部を長孔の内部を左右方向に移動自由にしてなることを特徴としたパチンコ遊技機の入賞装置。
【請求項９】
請求項１乃至８の記載において、第２の入賞口には支軸を支点に前端部を前方に突き出し開放することで打球を受け入れる水平姿勢と、前端部を跳ね上げて閉塞する起立姿勢に変換する可変扉を備え、該可変扉を連動杆の揺動に伴う係止部材の作動によって前記水平姿勢と起立姿勢とに拘束制御することを特徴としたパチンコ機の入賞装置。
【発明の詳細な説明】
【技術分野】
【０００１】
本発明は、パチンコ遊技機の遊技盤に設置される入賞装置に関する。
【背景技術】
【０００２】
パチンコ遊技機における入賞装置は、入賞球を受け入れ、これに基づいて予め定める数の賞球を遊技者に払い出すための言わば賞球過程における最初の段階に位置する装置であり、遊技者にとって最も感心の高い装置となっている。
この入賞装置には単純に打球を受け入れるものから、受け入れた入賞球を使って他の入賞装置を作動させるもの、入賞装置の内部で更に入賞球に対する価値に差を付けるため別に設備する複数の入賞ルートに振り分けて誘導するもの、更にはこの振り分け誘導過程を遊技者に観せることによって興趣を高めるようにしたもの等、その種類は多種多様に亘っている。
【０００３】
本発明は、この様な入賞装置にあって、一つの入賞口に飛入した入賞球を入賞球として処理する一方、この入賞球を利用して、更に詳述すれば入賞球の重量を利用して別に用意する第２の入賞口を閉塞する可変扉を作動し、この第２の入賞口の入賞条件を変える等、操作できるようにした両入賞口を連動する連動機構を備えたパチンコ遊技機の入賞装置に関する。
【０００４】
従来から２つの入賞口を連動する関係において一方の入賞口に飛入した入賞球で他方の入賞口の入賞条件を変化させるようにした装置は広く知られており多くの実用例がある。  この連動関係を作る中で、一方の入賞口に飛入した入賞球を他方の入賞口に移動させてこの入賞口に設備する可動片等を操作し、入賞条件を変るように設定する場合があるが、この場合には入賞球の転がりを利用する必要があるため、２つの入賞口を上下の関係で設備する必要があり、従って設置場所にそのための制約を伴うことになる。
【０００５】
この入賞球の転がりによって移動させる構造の連動機構に対して第１の入賞口に飛入した入賞球で連動杆を作動し、この連動杆の動きによって第２の入賞球を操作する構造の連動機構が提案，実用化されている。
この連動杆による連動機構は、入賞口の間を入賞球を転がり移動させる必要がないので上下の位置に設置することは勿論のこと、左右に並べて配置することも、又必要な場合には従たる第２の入賞口を主たる第１の入賞口の上方に配置して設置することも可能であり、設計上入賞球を転がり移動させることによって連動させる前記のタイプに比較して設計の自由度が広がる利点がある。
【０００６】
上記後者の連動機構を備えた入賞装置としては、例えば特許文献１に記載される入賞装置がある。  
【特許文献１】特公昭５７−１５９１９号公報。
【０００７】
この特許文献１に記載のパチンコ遊技機の入賞玉装置は、第１の入賞口となる玉受口４と第２の入賞口となる玉受口１２ａ，１２ｂを設けてこの玉受口４と左右の玉受口１２ａ，１２ｂの各間に作動レバー３０ａ，３０ｂを突軸３１ａ，３１ｂを支点に揺動自由に配置するものにしてあり、この作動レバー３０ａ，３０ｂの一端の受部３３ａ，３３ｂを前記玉受口４に連通する樋状枠２８によって形成される通路２９に左右方向から各突入させ、他端を可動片３６ａ，３６ｂを介して前記玉受口１２ａ，１２ｂに収める回転体
１３ａ，１３ｂに関係付けて、常には前記作動レバー３０ａ，３０ｂに備える重錘３２ａ，３２ｂによって前記一端の受部３３ａ，３３ｂを跳上げ、下降する他端で前記可動片３６ａ，３６ｂを拘束して前記回転体１３ａ，１３ｂの回転を止めるように構成するものにしてある。
【０００８】
そして、この入賞玉装置は、前記玉受口１２ａ，１２ｂに玉が入賞してもそのまゝにして、前記玉受口４に玉が入り、通路２９を通って流下するとき、この玉によって前記作動レバー３０ａ，３０ｂの受部３３ａ，３３ｂを下降させて、他端を重錘３２ａ，３２ｂに抗して跳上げ、可動片３６ａ，３６ｂの拘束を解いて回転体１３ａ，１３ｂの回転を許し、この玉受口１２ａ，１２ｂに入賞した玉の受け入れを可能にしたものとなっている。
【０００９】
この特許文献１の入賞玉装置は、従って第１の入賞口と第２の入賞口を作動レバー３０ａ，３０ｂという連動杆によって連動する構造に係る入賞装置になっているが、この従来装置の１つの問題は、作動レバーに直接パチンコ球を作用させ、その重量を負荷して作動レバーを揺動させることにある。
つまり、前述したように通路２９に臨ませた作動レバー３０ａ，３０ｂの一端の受部３３ａ，３３ｂにこの通路２９を落下する玉ＢＬを直接受け止めさせて、この玉の重量で各レバーを押し下げ、突軸３１ａ，３１ｂを支点に揺動させることから玉ＢＬを受けた受部３３ａ，３３ｂは通路２９内部を下降するに従って玉との接触状態を変化させることになる。そして同時に、左右から突き出す受部３３ａ，３３ｂは玉ＢＬを介して連動する関係にあって相互は別々の状態にあることから、玉の負荷が一方の作動レバーに偏在したとき、円滑な作動が妨げられることになり作動不良を起こし、故障の原因ともなることである。
【００１０】
ことに、落下する玉を作動レバーに直接作用させることはレバーが揺動する間にこのレバーとの接触関係を変化させることであり、また玉を誘導する通路２９との接触状態にも変化を来たすことから作用する重量に変化が生じて玉１個の小さな重量を利用して行う当該連動機構においては簡単に動作不良を起こすことになる。
しかも、左右から臨む２本の作動レバーを１個の玉で作動させる場合、両レバーが均衡している場合は円滑な作動が約束されても、この作動レバーが抵抗の相違等によって不均衡となった場合、玉の落下が一方に片寄って両レバーを均一に押下げられないと云った問題を生じ、円滑な作動が妨げられる。
【発明の開示】
【発明が解決しようとする課題】
【００１１】
従って、本発明は連動杆を介して第１の入賞口に飛入した入賞球の移動を第２の入賞口に伝達し、この第２の入賞口に備える入賞条件を変動させる係止部材を操作する連動機構を備えてなる入賞装置において、この連動機構を常時円滑に、且つ安定的に作動するよう改良したパチンコ遊技機における入賞装置を提案することにある。
更に言えば、本発明は連動杆の揺動動作において、前述したように第１の入賞口に飛入した入賞球を直接連動杆に作用させ、その重量により揺動させる際に、連動杆に対する入賞球の接触状態が変化して重量の負荷に変化を生じ、円滑な作動が妨げられること、ことにパチンコ球１個の限られた小重量を基にして作動させる場合の上記接触状態の変化による球の重量の負荷の変化によって生ずる作動不良を改善したことにある。
【課題を解決するための手段】
【００１２】
本発明は、上記目的を達成するため、入賞球を受ける第１の入賞口と、第２の入賞口の可変扉を操作するため上記入賞球によって揺動操作される連動杆との間に上下に摺動自由な昇降台を介挿し、前記入賞球の重量を上記昇降台を介して前記連動杆に伝達するようにして、入賞球の下降時における連動杆と入賞球との直接的な接触を完全に排除し、これによって入賞球との接触状態の変化によって生ずる連動杆の揺動運動の不均一性を除いたことにある。
【００１３】
本発明を更に詳述すると、本発明は上下に摺動自由に支持されると共に、第１の入賞口からの入賞球を受け入れる球受部を有してなる昇降台と、この昇降台の側方に位置して長さの途中を支軸を介して揺動自由に支持し、且つ揺動する内端を前記昇降台に滑合して連結すると共に、外端を第２の入賞口を開放操作する係止部材に滑合し連結する連動杆とを備え、前記連動杆は揺動する外端側に重心を置いて常には該外端を下降位置に保持して上昇する内端により前記昇降台を上昇位置に保持すると共に、前記第１の入賞口を通して入賞球が前記球受部に転入したとき、該入賞球の重量によって前記昇降台を下降させ、前記外端を上昇に転じて前記作動部材を開放作動させ、同時に前記球受部の入賞球を放出して該昇降台を前記上昇位置に復元するようにした連動機構を有してなるパチンコ遊技機の入賞装置を提供することにある。
【００１４】
また本発明は、前記昇降台は第１の入賞口の後方に設置する摺動枠内部に上下方向に摺動自由に収容すると共に、上昇位置にあるとき球受部の球入口を前記第１の入賞口に連通させ入賞球の受け入れを可能にする一方、下降位置に達したとき前記球受部の入賞球を球出口から放出することを特徴としたパチンコ遊技機の入賞装置を提供することにある。
【００１５】
また本発明は、前記昇降台は球受部の球入口を前方に向けて開口させ、また球出口を後方若しくは左右方向に向けて開口させると共に、前記球受部の底部を前記球入口から球出口に向けて下り勾配に形成してなることを特徴としたパチンコ遊技機の入賞装置を提供することにある。
【００１６】
また本発明は、前記摺動枠は縦向きの筒体に形成し、内部に昇降台を摺動自由に収めると共に、該昇降台に縦長の案内孔を開設して前記摺動枠に植設する軸を挿通し滑合して昇降台の上下摺動時には該軸を前記案内孔の上下端に当接し、上下の摺動範囲を規制することを特徴としたパチンコ遊技機の入賞装置を提供することにある。
【００１７】
また本発明は、前記連動杆には外端側に他方の内端に連結する昇降台を上昇させる重錘を備え、該連動杆の重心を上記外端側に置くことを特徴としたパチンコ遊技機の入賞装置を提供することにある。
【００１８】
また本発明は、前記重錘は連動杆の外端に埋設する連結ピンとし、且つ該連結ピンを作動部材に滑合させて前記連動杆の上昇を作動部材に伝えることを特徴としたパチンコ遊技機の入賞装置を提供することにある。
【００１９】
また本発明は、前記連動杆は昇降台の左右に一対備え、それぞれの外端に対応させて左右に少なくとも１個づつの第２の入賞口を設けて該第２の入賞口を開放操作する係止部材と前記左右の連動杆の外端とを滑合連結し、前記昇降台の下降時に前記左右の第２の入賞口を同時に開放操作することを可能にしたパチンコ遊技機の入賞装置を提供することにある。
【００２０】
また本発明は、前記昇降台には横長の連結孔を形成し、一方連結杆の内端には滑合突起を設けて上記連結孔に滑合し連結させて前記昇降台の上下摺動時に前記滑合突起を連結孔の内部を左右方向に移動自由にしてなることを特徴としたパチンコ遊技機の入賞装置を提供することにある。
【００２１】
また本発明は、前記第２の入賞口には支軸を支点に前端部を前方に突き出し開放することで打球を受け入れる水平姿勢と、前端部を跳ね上げて閉塞する起立姿勢に変換する可変扉を備え、該可変扉を連動杆の揺動に伴う係止部材の作動によって前記水平姿勢と起立姿勢とに拘束制御することを特徴としたパチンコ機の入賞装置を提供することにある。
【００２２】
上記の如く構成に係る本発明入賞装置は、常態にあるとき、連動杆の外端側に置く重心によって内端を上昇させ、この内端と連結する昇降台を上昇位置に置くことになる。そして、この昇降台に設ける球受部の球入口を第１の入賞口に連通させてこの第１の入賞口からの入賞球の転入に備えることになる。
この状態において、上記第１の入賞口からの入賞球が球受部に転入すると、球の重量が付加されることによって昇降台は下降を開始することになる。そして、内端を連結する前記連動杆を長さの途中を支持する支軸を支点に揺動させて前記下降位置にある外端を上昇させることになる。この上昇により第２の入賞口を開放する係止部材を作動させ、この入賞口を閉塞する開閉扉を開放姿勢に変換して、この第２の入賞口に対する打球の入賞を可能にするのである。
【００２３】
前記昇降台の球受部に転入した入賞球は、昇降台が下降位置に達した時点で球出口から放出され、この球の放出によって軽量になった昇降台は連動杆の外端側の重量によって押し上げられ、再び上昇位置に戻され、第１の入賞口からの入賞球の受け入れに備えることになる。一方、連動杆は自重によって外端側を下降位置に置き、次の前記昇降台の下降に伴う上昇、そして前記係止部材の作動に備えることになる。
【００２４】
この昇降台及び連動杆の一連の動作の中で入賞球の重量を利用して揺動される連動杆は、この入賞球を直接受け取ることがなく、前記昇降台を介して入賞球の重量を受ける関係にあることから、揺動途中において入賞球との接触状態の変化を全く受けることがない。従って、常に球の重量を一定に受けることができることになる結果、安定した揺動運動をすることができることになり、そのため第２の入賞口を開放する係止部材を安定的に且つ確実に作動することができることになるのである。
【００２５】
一方、上記昇降台に対して連動杆は、その内端を滑合突起を昇降台に形成する連結孔に滑合させて連結することから昇降台の上下移動による揺動運動の際に上記連結孔内部で滑合突起を滑らすことができるため円滑に運動の変換が行われることになり無理なく揺動し、係止部材を作動させることができるものとなる。
【００２６】
そして更に、上記連動杆は昇降台を介して入賞球の重量を受ける構造を採ることから入賞球の下降時における連動杆との接触状態の安定化、均一化を図る必要がなく、またこの入賞球の下降時の誘導の安定化を図る必要もなくなり、設計上並びに製造上極めて有利なものとなる。
ことに左右２本の連動杆を１個の入賞球を利用して揺動させる場合、この２本の連動杆と入賞球との関係を均一に分散して作用させる必要があるが、本発明においては全ての連動杆が１つの昇降台に連結し、入賞球の重量をこの昇降台を介して受ける構造とすることから常に連動杆には均一に分散した状態で作用することになり、安定した作動を期待することができることになる。
【００２７】
ところで、前記摺動枠は昇降台の上下の摺動を円滑にするためと、安定した摺動を得るため設置されるが、更に昇降台の球受部に受けた入賞球を放出するまで保持するためにも利用される。
この摺動枠は上下に昇降台を案内するため縦向きの枠として形成されることになるが、昇降台が上下に移動する際に前後左右に振れることのないよう、上下方向に直線的に誘導できる構造のものが求められることになる。
更に、前記球受部に受けられた入賞球が球出口から移動途中において転がり出ないように望ましくはこの球出口が開設される面を塞ぐ状態で前記枠が配置されることが求められる。
【００２８】
尚、昇降台の球受部には連動杆とのバランスの上から一定数の入賞球、例えば１個の入賞球が受けられる収容空間が用意されることになる。
上記昇降台は前述したように入賞球を受け取ることで連動杆の外端側の重量より重くし、これによって下降してこの連動杆の外端を跳上げるものであるから、球受部の受け入れ個数は複数個であっても問題はない。しかし、１個の入賞球の受け入れを基準にして連動杆とのバランスを設計すると、最小個数の入賞球で作動させられるため有利になる。
【００２９】
また、昇降台と連動杆の内端との連結は、具体的には一つの形態に限られるものではないが、上下方向に移動する昇降台に対して内端を側方から臨ませ、しかも連動杆の長さの途中を支持する支軸を中心にこの内端を上下に揺動させるものであって両者の動きが異なること、つまり上下垂直に動く昇降台に対して連動杆の内端が前記支軸を中心に描く弧状に沿って動くことから両者の連結点が一定位置に固定されると相互に拘束する関係が生じて動きが止まることになる。
そこで、本発明ではこの両者の連結を昇降台の上下方向の移動直線と連動杆の内端の弧状をなす移動曲線とが両者の移動時に交錯するところに常に連結点が位置するように設定して連結点の移動が可能であるように連結している。
【００３０】
つまり、本発明では上記の問題を解決するため前述のように昇降台に横長の連結孔を形成し、連動杆の内端に設ける軸部をこの連結孔に滑合して両者を連結し、昇降台の上下移動時には上記軸部を連結孔をガイドに左右に移動させて両者の連結状態を維持したまゝ連動杆の揺動を可能にしたのである。
この連結孔と軸部の形成は昇降台と連動杆の間で置き換えても実施は可能である。即ち、連動杆の内端近くに長さ方向に沿った連結孔としての長孔を形成し、他方昇降台には軸部を設けて両者を滑合連結することによって昇降台の軸部が連動杆の連結孔内を移動することになるので連結状態を維持したまゝ連動杆の揺動が可能になる。
【発明の効果】
【００３１】
本発明は上記の如く構成から、入賞口に入賞する入賞球の重量を利用して第２の入賞口を開放する連動杆を揺動し、係止部材を作動させるに当って、この入賞球を直接連動杆に作用させることなく、昇降台を介して間接的に作用させる構造としたことから揺動に伴って入賞球との接触状態が変化し、作用力に差を生ずるようなことがなく、また入賞球が連動杆の揺動に伴って接触点が長さ方向に移動して作用する重量が変るようなこともなく、常に一定重量を連動杆に付加できることから安定した揺動を促すことができる。このため第２の入賞口を開放する係止部材を安定的に作動できる利点があり、従って正確に動作する入賞装置を提供することができる。
以下、本発明につき実施の形態の説明を通して具体的に説明し、併せてその他の特徴とするところを詳述することにする。
【発明を実施するための最良の形態】
【００３２】
添付する図面は本発明の一実施例を示したものである。図１は本発明に係る入賞装置を遊技盤に組付けた使用状態を説明する正面図であり、図２は入賞装置の前面側からの斜視図、図３は背面側からの斜視図であり、図４は入賞装置を分解した状態の前面側から見た斜視図、図５は入賞装置を分解した状態の背面側から見た斜視図である。図６及び図７は図４の一部を拡大して示した斜視図であり、図８、図９は図５の一部を拡大して示した斜視図である。
【００３３】
図面において、符号１はパチンコ遊技機に組付けられる遊技盤、２はこの遊技盤１の前面に止着したバンド、３はバンド２の囲みによって形成される遊技部４の中央部に設置した本発明に係る入賞装置である。そして、５‥‥はこの入賞装置３の下方に上下二段に配列した通常入賞口を示し、上段に５個、下段に３個の通常入賞口を配置して前記入賞装置３のいずれの飛入口にも入賞することのなかった打球がこれらの通常入賞口５に向うようにしてある。
尚、遊技部４には図示しないが適所にバンド２によって形成される打球誘導路６を通して打ち出される打球を受け振り分ける障害釘が植設される。
【００３４】
入賞装置３は、逆Ｔ字形をなす取付板７を中心にしてこの取付板７の中央部に開設する開口部８に背後から箱枠体９を、そして前面側から開口部８の縁を飾る前飾り枠１０を止着し、取付板７の左右に延びる翼片部７ａ，７ａには並列状に２個づつの小飛入口１１を開設し、この小飛入口１１の前面に打球を受けるポケット形の受部１２を、またこの小飛入口１１の背後に受枠１３を取付け、更にこの受枠１３の内部に前記受部１２に飛入する入賞球によって転動する可変扉１４を備える。
そして一方、前記箱枠体９の内部には上下に揺動するステージ板１５とこのステージ板１５の下方に設けられる第２ステージ板１６、及びステージ板１５の後方に設置される振り分け部材１７が組込まれる。
【００３５】
前記箱枠体９は、取付板７の開口部８の形状に合せて前面を開放した箱形に形成してあり、前面の開口部１８の上下左右の四隅に透孔１９を形成し、この透孔に通すビスを取付板７のネジ受部２０にねじ込むことによって一体に止着できるようにしてある。
一方、前飾り枠１０は取付板７の透孔２１を通してこの前飾り枠１０の背面に設けるネジ受部２２にビスをねじ付けることで止着され、取付板７の前面から突き出た状態に取付くようにしてある。
【００３６】
この前飾り枠１０は頂部に飛入口２３を有し、この飛入口２３を取付板７の孔２４を通して箱枠体９の頂部に設ける球通路２５に連通させ、また、左右対称の位置に前記箱枠体９の内部、つまり入賞室２６に打球を通す飛入口２７，２７を開設し、更に下方には特定入賞口２８を中央に置き、その左右に普通入賞口２９，２９を置いてこれらの入賞口を横一列に配置している。
【００３７】
前記ステージ板１５は、箱枠体９の入賞室２６の高さの略中間の位置に水平な状態で収められている。このステージ板１５は前縁部１５ａの両端を支軸３０，３０を介して上下方向に揺動自由に支持され、ここでは前縁部１５ａの両端に上記支軸３０，３０を植設し、この支軸を前記前飾り枠１０の高さの途中に形成する溝３１，３１に嵌め付けることによって支持するようにしてある。
上記支軸３０，３０は箱枠体９の左右の側壁部に枢着してステージ板１５を揺動自由に支持してもよいが、この実施例では実質的に箱枠体９の一部となる前記前飾り枠１０を支軸３０，３０の支持体として選択し、取付板７を中間にして箱枠体９と前飾り枠１０の取付けを利用してこの支軸３０，３０を軸承する構造を採用している。
【００３８】
つまり、ここでは前述の様に前飾り枠１０に形成する溝３１，３１に後方から支軸３０，３０を挿入し、次に箱枠体９の前縁部から突き出す片３２，３２を差し入れて各溝３１，３１の前端部と片３２，３２の先端との間で支軸３０，３０を挟むことで固定するようにしてあり、取付板７に対して箱枠体９及び前飾り枠１０を前述の様にビス止めすることで支軸３０，３０を安定的に固定するようにしているのである。
【００３９】
上記ステージ板１５は、上面の前半部に左右対称の浅い誘導凹部３３ａ，３３ａを形成し、後半部に半円弧状をなす段差を設けた後縁部１５ｂに向って徐々に深くなる誘導凹部３３ｂを形成している。そして、この後縁部１５ｂに横に貫通する透孔３４を穿ってこの透孔３４に連結軸３５を挿通し、その両端を後縁部１５ｂの左右両端から突き出るようにしている。
この連結軸３５はステージ板１５を上下に揺動するための動力源となる駆動機構３６に連結するためのものであり、駆動機構３６に組込まれる減速装置付きモータ３７によって作動されるようにしてある。
【００４０】
駆動機構３６は、金属板を曲折し形成したフレーム３８を中心に組立てあり、図１２乃至図１４に示したようにフレーム３８の外側に固定したモータ３７の駆動軸３９に設けるギヤ４０を第２駆動軸４１のギヤ４２に噛合し、この第２駆動軸４１を回転するようにしてあり、この軸４１の両端に軸着するカム板４３，４３を回転するようにしてある。
【００４１】
カム板４３，４３は、フレーム３８に軸承する回転軸４４の両端に固定する揺動板４５，４５の滑合台４６に滑合し、カム板４３，４３の回転によって滑合台４６を上下動させ、前方に突き出す揺動腕４７を上下に揺動するようにしてある。
上記左右の揺動腕４７，４７は前端に長孔４８，４８を穿ち、この長孔に前記連結軸３５の軸端を滑合させて前記ステージ板１５と連結してある。従って、前記揺動板４５，４５の揺動運動がこの連結軸３５を介してステージ板１５に伝えられることになっている。
尚、減速装置付きのモータ３７は徐回転することによって前記カム板４３，４３をゆっくり回転させ、揺動板４５によるステージ板１５の揺動をゆっくり行うようにしてある。
【００４２】
上記駆動機構３６は、フレーム３８の前縁部に設ける取付片４９を箱枠体９の背面板９ａに添わせ、孔５０に通すビスをネジ受部５１にねじ付け、更に孔５２に通すビスを箱枠体９の背面から突出するネジ受ボス５３にねじ付けることによって一体に固定される。
【００４３】
図中、５４は上記モータ３７によって振り分け部材１７を駆動するため前記駆動機構３６内に軸承した回転軸であり、５５はこの回転軸５４に軸着し、前記ギヤ４０に噛合させたギヤであり、５６は振り分け部材１７を押上げるため回転軸５４に軸着したカム板である。
【００４４】
振り分け部材１７は、ここではペンギンの形態に形成してあり、２本の脚を下方に突き出し、この２本の脚の間にパチンコ球の直径を超える間隔を設けて仕切り突起部１７ａ，１７ａとしている（図１５〜１７参照）。
この振り分け部材１７は背面部から突き出す止めボス５７を箱枠体９の背面板９ａに縦長に形成する案内孔５８を通して後方に突き出し、この止めボス５７の後端部に滑合部材５９を固定して上記背面板９ａに取付くようにしてあり、上記縦長の案内孔５８の長さの範囲において上下方向に移動することができるようになっている。
【００４５】
上記滑合部材５９は後方に向けて腕６０を水平に延ばし、この腕を前記回転軸５４に軸着したカム５６の上に滑合載置して振り分け部材１７の重量を受けて常時接触させ、支える構造にしてある。
従って、前記モータ３７の駆動によって回転軸５４が回転し、カム板５６が回転すると、滑合部材５９が上下動し、振り分け部材１７が上下動することになる。
【００４６】
ところで、上記振り分け部材１７は図示するようにステージ板１５の後端部１５ｂの直上に位置させてあり、最下降位置（図１５，１６を参照）にあるとき、仕切り突起部１７ａ，１７ａを上記後端部１５ｂに最接近させることになり、この後端部１５ｂの横幅全体を３分割して入賞球の通過路を３つのルートに分けることになる。また、最上昇位置（図１７を参照）に達したときには、上記突起部１７ａ，１７ａをステージ板１５の後端部１５ｂから離して上記３分割状態を解消することになる。
【００４７】
一方、前記第２ステージ板１６は、緩く湾曲した底部６１の両側部から側壁６２，６２を起立し舟形に形成した枠体の内部に波形に形成した上下二段の振り分け台６３，６４を前後にずらして配置し、形成してある。この第２ステージ板１６は前記箱枠体９の内部に前方から嵌め入れ、前記側壁６２，６２の後端部を箱枠体９に設ける取付部６５，６５に当接し、この取付部に通すビスのねじ付けによって箱枠体に一体に組付けるようにしてある。
【００４８】
この第２ステージ板１６は、上記組付けによって前記ステージ板１５の下方に設置され、ステージ板１５の後端部１５ｂを通して落下する入賞球Ｐを後端部１６ｂに受けるようにしてある。この第２ステージ板１６に送られた入賞球Ｐは、先ず後方の振り分け台６４上に落下し、この振り分け台６４の山谷によって左右に振り分けられながら前向きの傾斜に沿って前方の振り分け台６３へと誘導され落下し、再び同様の振り分けが行なわれた後、最終的にこの振り分け台６３のいずれかの谷部から前縁部１６ａを越えて前方に向けて転がり落下することになる。
【００４９】
上記第２ステージ板１６の前側に位置する振り分け台６３は、２つの山と３つの谷を有し、この３つの谷を前記特定入賞口２８と普通入賞口２９，２９に臨むようにしてある。
即ち、箱枠体９は取付板７の背面側に固定したとき、取付板７の開口部８の下方に３個揃えて形成する穴６６の上方に上記振り分け台６３の３つの谷が臨むようにしてある。一方、この取付板７の前面側に固定される前記前飾り枠１０がこれに設ける特定入賞口２８と左右の普通入賞口２９，２９を上記穴６６に連通するようにして前記箱枠体９と前飾り枠１０を取付板７に取り付けたとき、自動的に振り分け台６３の３つの谷が特定入賞口２８と普通入賞口２９，２９とに臨んで向い合い連通するようにしてあるのである。
【００５０】
以上の構成から、ステージ板１５から第２ステージ板１６に落下した入賞球Ｐは前後の振り分け台６４，６３を次々と通過することによって振り分けられると共に、下段の振り分け台６３のいずれかの谷部に入った入賞球Ｐは、その前方に開口する特定入賞口２８又は普通入賞口２９に入賞することになる。
ところで、上記特定入賞口２８と普通入賞口２９に入賞した入賞球はそれぞれの開口部に設置するスイッチ６７，６８によって検出される。そして、取付板７の下端に前記穴６６に連続させて設ける樋形の誘導路６９，７０に誘導され、普通入賞口２９に受けられ誘導路７０に通される入賞球はそのまゝ入賞装置の外に放出され、特定入賞口２８に入賞した球は誘導路６９を通って前記箱枠体９の背後に備える後述する本発明に係る連動機構７１へと誘導されることになり、取付板７の両翼片部７ａ，７ａに設ける小飛入口１１に設置するロック機構７２を作動することになる。
【００５１】
次に、以上の構成において、遊技盤１の遊技部４に設置された本発明入賞装置３に対して入賞球Ｐが飛入し、この入賞球Ｐが前記特定入賞口２８若しくは普通入賞口２９に達するまでの過程を各部の作動と共に説明すると、遊技部４に打出された球Ｐは、遊技盤１の前面に突き出す前飾り枠１０の飛入口２７に達することで、箱枠体９の内部、つまり入賞室２６に飛び込むことになる。
このとき、入賞球Ｐは飛入口２７に設置するスイッチ２７ａによって通過を検出され、図示しない主制御装置に検出信号が送られ、図示しない賞球払出装置から遊技者に賞球が払い出されることになる。
【００５２】
入賞室２６に飛入した入賞球Ｐ（以下、単に「球Ｐ」と記す。）は、ステージ板１５の前縁部１５ａに近い上面に落下し、ステージ板１５が静止状態にあるときには、そのまゝ滞留するか、傾斜に従って上面を転がり移動することになる。
このとき、球Ｐは誘導凹部３３ａ，３３ａに誘導されて溝の底に向かって転がり、更にステージ板１５が後傾姿勢に傾くときには、これに誘導されて後方の誘導凹部３３ｂへと流されると共に、後縁部１５ｂに向けて転がることになる。
【００５３】
このときの球Ｐの転がりは、上記誘導凹部３３ａ，３３ｂの溝の深さに影響されて底に向けて転がることになるが、ステージ板１５の傾き加減によって凹部の底に達する以前に後縁部１５ｂに向けて直線的に転がることもあり、様々な転がりを展開することになる。
この転がりの変化は、球Ｐの振り分けを実行するものであり、後縁部１５ｂの不特定の位置から落下して次に備える前記第２ステージ１６へと誘導されることになる。
【００５４】
このステージ板１５は静止状態において球Ｐを転がす一方、駆動機構３６による揺動によって傾きが変えられることによって、上記球Ｐの転がり速度を変え、更にはこの揺動運動に振り分け部材１７の上下運動が加わることによって更に複雑な変化が付与されることになる。
【００５５】
図１５から図１７は、ステージ板１５とこれを揺動する駆動機構３６、及び振り分け部材１７との連動関係を説明し、入賞球Ｐの動きを解説したものである。
図１５（Ａ），（Ｂ）は駆動機構３６のカム板４３の突起部４３ａが下向きに位置して滑合台４６を押し下げ、軸４４を支点に揺動腕４７を跳ね上げ、これによってステージ板１５をやゝ前下り状態にした場合で、ステージ板１５上の球Ｐはやや前縁部１５ａ側に転がり誘導凹部３３ａ，３３ｂの底部に流れてここに止まることになる。
【００５６】
この状態において、振り分け部材１７はカム板５６の突起部分が下向きにあるため、最下降位置にあって仕切り突起部１７ａ，１７ａをステージ板１５の後縁部１５ｂに接近させ、球Ｐの落下ルートを３つに分割する。
尚、ステージ板１５上の入賞球Ｐは凹部３３ａ，３３ｂの底に流れることによってこの状態では後縁部１５ｂに向けて流れることはない。
【００５７】
図１６（Ａ），（Ｂ）は駆動機構３６のモータ３７の駆動によってカム板４３が回転し、突起部４３ａが上向きになることによって揺動板４５の滑合台４６が上がり、これに伴ってステージ板１５が後傾姿勢を強めた場合を示している。
このとき、ステージ板１５上に落下した球Ｐは誘導凹部３３ａ，３３ｂを誘導されながら後縁部１５ｂに向けて転がり、第２ステージ１６へと落下することになる。
そして、このとき振り分け部材１７はカム板５６の突起部が下向きの状態にあることから下降姿勢にあって突起部１７ａ，１７ａをステージ板１５の後縁部１５ｂに近付け、３つのルートに仕切った状態を維持することになる。
【００５８】
次に、図１７（Ａ），（Ｂ）はカム板４３の突起部４３ａを上向きにして揺動板４５の滑合台４６を上げ、ステージ板１５を後傾斜の状態に保持したまゝカム板５６の突起部を上向きにして滑合部材５９の腕６０を押し上げ、振り分け部材１７を上昇させた状態を示している。
この振り分け部材１７の上昇によって突起部１７ａ，１７ａはステージ板の後縁部１５ｂから上昇し離れて３つのルートの分割状態が解除され、入賞球Ｐは単にステージ板１５による振り分けに従って転落することになる。
【００５９】
ここで、揺動板４５に連結するステージ板１５と、振り分け部材１７とは駆動機構３６に備えるカム板４３，５６を介して１つのモータ３７によって駆動される構造にしてあることから、連動する関係に置いているが、各カム板４３，５６は間に介挿するギヤ４０，４２，５５の比率を変えることで異る回転にしてあり、これによってステージ板１５の揺動と振り分け部材１７の上下動が同調しないようにして、振り分けの変化を更に複雑なものにしてある。
尚、ステージ板１５の揺動運動と振り分け部材１７の上下動を同期させることを妨げるものではなく、またこれらの動力源、つまりモータ３７を別にして駆動系統を独立させ個別に作動させることを妨げるものでもない。
【００６０】
上記ステージ板１５の後縁部１５ｂを落下した球Ｐは、次に第２ステージ板１６の後縁部１６ｂに受けられ、前述したように２段の振り分け台６４，６３を通して左右に移動し振り分けられながら前縁部１６ａに沿って横に並ぶ特定入賞口２８，普通入賞口２９のいずれかに入賞し、ここでスイッチを通過して検出され、誘導路６９，７０のいずれかに送られることになる。
【００６１】
前記連動機構７１は、上記特定入賞口２８に入賞して誘導路６９に導かれる入賞球Ｐを受け入れ、この球の重量で前記小飛入口１１‥‥に組み込まれるロック機構７２を作動するものであって前記特定入賞口２８に入賞した入賞球Ｐを利用して他の入賞口、ここでは小飛入口１１を閉じるゲートを解放し、これによって入賞の機会を増やして賞球放出数を増加するための手段として組込まれている。
言い換えると、この連動機構７１は、第１の入賞口に相当する前記入賞室２６若しくは前記特定入賞口２８に入賞した球Ｐの重量を利用して第２の入賞口たる前記小飛入口１１を閉塞する踏板１４、即ち、可変扉を開放してこの小飛入口１１に対する打球の入賞を可能にする手段であり、両入賞口を連動する装置として介挿されている。
【００６２】
次に、この連動機構７１について更に詳述することにする。
連動機構７１は、前記誘導路６９からの入賞球Ｐを受けてその重量によって下降する昇降台７３と、この昇降台７３の上下動をゲートのロック機構７２に伝える連動杆７４から構成されている。
上記昇降台７３は、前記箱枠体９の背面板９ａの背面部に止着するカバー７５に収められ、このカバー７５の内部を上下方向に摺動するようにしてある。
【００６３】
上記カバー７５は昇降台７３の案内手段であって側面から見て略Ｌ字形に形成してあり、上半の縦の部分７５ａを前記背面板９ａに添わせ、孔７６に通すビス（図示せず）で固定し、下半の横の部分７５ｂを前記誘導路６９の後端に臨ませる（図２０を参照）。
一方、昇降台７３は上部縦長の部分７３ａを前記カバー７５の縦の部分７５ａに上下方向に摺動自由に嵌め入れ、下半の横の部分７３ｂを前記カバーの横の部分７５ｂに収めるようにしてあり、更に前記カバー７５を固定するビスを縦の部分７３ａに形成する縦長孔７７に通して昇降台７３がこの縦長孔７７の長さの範囲で上下に移動できるようにしてある。
【００６４】
上記昇降台７３は、下半の横の部分７３ｂに前方に向けて球入口を開口する球受部７８を備え、昇降台７３が上昇位置、つまりカバーの固定用ビスが縦長孔７７の下端に当接するとき、前記誘導路６９の後端に臨んで連通し、この誘導路６９を通して送られる入賞球Ｐをこの球受部７８に受け入れられるようにしてある。
【００６５】
一方、前記連動杆７４は、この実施例では左右対称となるよう一対備えてあり、各連動杆７４は長さの途中に設ける軸着用の中空軸７９を前記取付板７の背面に設ける軸受部８０に支軸８１を介して回動自由に軸着し、それぞれ左右の両端が上下に揺動できるようにしてある。
そして、内側の端部、つまり内端に軸部８２を突設し、この軸部８２を前記昇降台７３に横向きに形成する長孔８３に滑合させ連結してあり、また外側の端部、つまり外端にバランスを取るための重錘ピン８４を孔８５に嵌め込んで取り付けてあり、更にこのピンの先端を後述するロック機構７２の係止部材８６に係合するようにしてある。
【００６６】
上記バランスを取る重錘ピン８４は、前記昇降台７３に入賞球Ｐが無いとき、連動杆７４の外端を下げ、また前記球受部７８に入賞球Ｐが入ったとき上昇して前記係止部材８６を押上げるものとなっている。
つまり、この重錘ピン８４は昇降台７３に入る入賞球Ｐの有無に関係して連動杆７４を揺動するもので、昇降台７３が上昇位置にあって球受部７８に入賞球Ｐが入り、この球Ｐの重量を受けて下降に転じるとき、支軸８１を支点に揺動し、重錘ピン８４側の外端を跳ね上げて係止部材８６を押上げ、ゲートとなる可変扉１４を解放するのである。
【００６７】
図２７乃至図３６は連動機構７１の連動杆７４の揺動に伴ってロック機構７２の小飛入口１１を開閉する可変扉１４の作動を説明する解説図である。以下、これらの図面を中心に連動杆７４とロック機構７２との関係を説明することにする。
尚、本実施例では取付板７の左右の翼片部７ａ，７ａに２個づつの小飛入口１１を左右対称となるように開設し、それぞれの小飛入口１１に受部１２と枠部１３、そして可動扉１４を備え、更にこの可変扉１４の自由な動きを制御する前記係止部材８６をそれぞれ１個づつ備えるものとしている。
【００６８】
小飛入口１１に備えられる可変扉１４は、前後方向に長さを有する矩形の肉厚の板として形成してあり、その長さの略中央部に左右に貫く軸受孔８７を穿ち、この軸受孔８７に支軸８９を通して受部１２の後縁から突き出す軸受部９０，９０に軸承させ、回転自由に支持している。
上記受部１２は、打球を受けるポケットの役割をもっており、前面の板部１２ａの左右両側から後方に向けて側壁１２ｂを対向状に延設し、この側壁１２ｂに前記軸受部９０を備えている。そして、この側壁１２ｂの後縁を取付板７の前面に当接し、ねじ止めすることで取付板７の翼片部７ａの前面に取付き小飛入口１１の前方を被うものとなっている。
【００６９】
可変扉１４は、この受部１２を取付板７に取付ける前に軸受部９０，９０に支軸８９を軸着して、小飛入口１１内に持込み、受部１２の取付けを利用してこの小飛入口１１に取付けられる。
上記受部１２は取付いた状態において、取付板７との間に入賞球Ｐを通す筒状をなす上下の空間を確保すると共に、この空間内に向けて前記可変扉１４の先端部分を受け入れられるようにしてある。
【００７０】
そして、この可変扉１４は、前記軸受孔８７の前方に重錘９１を埋設することで常に前方に転倒するようにバランスを取っており、後端部には可変扉１４の上面に受けてその勾配に従って後方に転がる入賞球Ｐを受ける突片９３を立ち上り状に備えている。
尚、この可変扉１４は、図３９に示したように支軸８９を支点に前端部を跳上げたときには小飛入口１１を閉ざし、これに伴って受部１２を筒状に開放して上方からの飛入する打球をそのまゝ通過させることになる。
そして、図４０に示したように可変扉１４が水平に転倒したときには、後端部の突片９３を受枠１３から突出するストッパー９４に当接して水平姿勢に保持し、この状態において小飛入口１１を開放すると同時に、可変扉１４の先端部を受部１２の内部に突き入れて上方からの打球の受け取りを可能にし、この球を上面を転がして受枠１３の内部に持ち込むことができるようにしてある。
【００７１】
可変扉１４に埋設する重錘９１は、可変扉１４が水平姿勢（図４０を参照。）にあるとき、また跳上がって起立姿勢（図３９を参照。）にあるとき、それぞれの姿勢に安定させるためのものであり、更に水平姿勢にあるときには前記ストッパー９４と突片９３との衝合によって前倒れ状態とならないよう確実に支持され、また前記起立姿勢に変換したときには前記係止部材８６が可変扉１４に係合して任意に水平姿勢に変換するのを阻止することになる。
【００７２】
次に、図中９５は、可変扉１４の軸受孔８７の位置より後方の一側縁に沿って起立したロック機構７２の構成部品の一つである係合片である。
この係合片９５は前縁９５ａを踏板の上面に対して直角に起立させ、この前縁９５ａの上端から後方に弧状縁９５ｂを形成して全体として扇状をなしており、前記可変扉１４が起立姿勢にあるとき、上記前縁９５ａにロック機構７２の構成部品の一部である係止部材８６を掛け止め、水平姿勢への変換を阻止することになっている。
【００７３】
上記係止部材８６は略Ｌ字形をなし、長さの中央の屈曲部に設ける軸受部９６に翼片部７ａの背面に植設する支軸９７を通して回動自由に枢着してあり、一端には前記ピン８４に滑合する湾曲した滑合部９８を備え、他端には前記可変扉１４の係合片９５に係合する係止片９９を備える。
この係止部材８６は支軸９７によって軸承され、前記滑合部９８を連動杆７４の先端に設ける重錘ピン８４を跨ぐように臨ませる。そして、他端の係止片９９を可変扉１４の後部側面に臨ませて係合片９５に常に接触するようにしている。
【００７４】
つまり、係止部材８６は支点となる屈曲部を境にして長く延び出る滑合部９８が他方の係合片９５側より重量が大になるようにしてあり、支軸９７を中心にして滑合部９８側が常に下降するようにバランスを取っている。これによって下向きに突き出す係止片９９が可変扉１４の係合片９５に向けて突き出すように付勢されているのである。
【００７５】
尚、この実施例では隣接して設けられる２つの小飛入口１１，１１にそれぞれ可変扉１４，１４を備え、左右に揃えて並べることから、この両可変扉１４，１４の中間位置に連動杆７４の一つの重錘ピン８４を臨ませ、このピン８４に向けて左右から各係止部材８６，８６の各滑合部９８を架け渡すようにして左右の係止部材８６，８６が左右方向から対称に臨むようにしてある。
そして、この関係は左右の翼片部７ａ，７ａに形成するそれぞれ対をなす小飛入口１１，１１においても同一のものにしてある。即ち、左右それぞれにおいて２つの係止部材８６，８６が１本の重錘ピン８４を挟んで左右から滑合部９８，９８を延ばし、滑合するようにしてあるのである。
【００７６】
本発明におけるロック機構７２は、上述の様に係止部材８６と可変扉１４に形成する係合片９５によって構成されており、係合片９５と係止部材８６の係止片９９との係合関係によって可変扉１４の回動が規制され、開閉動が制御されるようになっているのである。
次に、この関係を昇降台７３，連動杆７４を含む連動機構７１の動作を伴わせて更に詳述することにする。
【００７７】
前述したように入賞室２６を通して特定入賞口２８（第１の入賞口）に転入した球Ｐは、誘導路６９を通して後方に待機する昇降台７３の球受部７８に入ることになる（図２０を参照）。
昇降台７３は、左右に延びる２つの連動杆７４，７４の先端に備えるピン８４，８４とバランスして、球Ｐを受け取らない状態では支軸８１，８１を支点とする連動杆７４の押し上げによって上昇位置にあり（図１８、図２１を参照）、球受部７８の前方に向いた球入口１００ａを前記誘導路６９に臨ませることになる。
そして、この球受部７８に球Ｐが転入し、受け入れると（図２０を参照）、前記重錘ピン８４，８４を押上げながら自らは下降し、最下降位置に達したとき、この球Ｐをカバー７５の下端を通して球受部７８の後部に開設する球出口１００ｂから系外に放出することになる（図２５を参照）。
尚、この球Ｐの放出に伴って重量を落すことになる結果、昇降台７３はピン８４，８４の重量を受けて再び上昇し、次の入賞球のため待機することになる。そして、左右の連動杆７４，７４は重錘ピン８４，８４を下降位置に戻し、復元することになる。
【００７８】
この昇降台７３の下降による連動杆７４の先端に設けられる重錘ピン８４，８４の上昇は、このピン８４に滑合する係合部材８６，８６の各滑合部９８，９８を上昇させることになり、それぞれの支軸９７を支点に係合部材８６，８６を傾けて他端の係止片９９，９９を可変扉１４，１４の係合片９５，９５から離すことになる（図３０、図３１を参照）。
これによって自由になった可変扉１４は、その重錘９１の重量を受けて支軸８９を支点に前方に向けて転倒し、後端の突片９３をストッパー９４に当接させると共に、前端部を受部１２の内部に突き出して小飛入口１１を開放することになる（図３７を参照）。
【００７９】
つまり、図３１〜図３３及び図４０は可変扉１４が水平姿勢にある状態を示しており、このとき小飛入口１１は開放した状態になる。尚、図３１〜図３３は可変扉１４が水平姿勢にあるときの連動機構７１の連動杆７４とロック機構７２の係止部材８６の関係を説明するものである。
次に、この状態において受部１２に打球Ｐが飛入すると、球Ｐは可変扉１４の前端部に受け止められ、この上面の傾斜に誘導されて小飛入口１１を通って可変扉１４の後端部に移り、突片９３に止められると同時に、この球Ｐの移動によって可変扉１４の重心が後方に移動するため可変扉１４は支軸８９を支点に後向きに転倒し、起立姿勢に変換することになる（図３６を参照）。
【００８０】
図２７〜図３０及び図３９は可変扉１４の起立姿勢時を示しており、可変扉１４の前端部の跳ね上りによって受部１２は内部を上下に貫通させた状態になると同時に、小飛入口１１は閉ざされることになる。
従って、この状態において受部１２に飛入した打球Ｐは受部の中空部を通過し、そのまゝ遊技部４に戻され、その他の入賞口５に向けて落下することになる。
【００８１】
一方、この可変扉１４の起立姿勢への変換に当って係合片９５の外側面に接触していた係止部材８６の係止片９９は上記係合片９５が可変扉１４の後端部の下降によって下に退くため自由になり、可変扉１４側に支軸９７を支点にして突き出すことになる。
前述したように、連動杆７４の重錘ピン８４は昇降台７３から入賞球Ｐが放出されると、昇降台単独の重量より重くなるので下降位置に直ちに復帰することになるが、この結果、前記係止部材８６は滑合部９８を空中に突き出した状態になる。
このようなことから、係止片９９が支えを失うと、係止部材８６は支軸９７を支点に重量の重い滑合部９８を降下させることになり、係止片９９を可変扉１４側に突き出すことになる。
【００８２】
上記係止片９９は先端の縁１０１を弧状に形成してあり、可変扉１４が跳上ると、この先端の縁１０１を係合片９５の前縁９５ａに滑らせるようにして可変扉１４側に突き出すことになる（図２９を参照）。そして、この先端の縁１０１の一端に突設する突起１０２を受枠１３の側面に衝合させ、上記突き出し量を規制することになる。
【００８３】
可変扉１４と、この可変扉１４を制御する係止部材８６は対をなしており、隣接するものとは無関係にして独立して作動するものにしてある。従って、隣接して設けられる２つの小飛入口１１、１１における各可変扉１４、１４は打球の飛入があった方の可変扉１４だけが水平姿勢から起立姿勢に変換してその小飛入口１１を閉ざすことになり、他方の可変扉１４は開放したままの状態に残されることになる。
図３５，図３６はこの状態を示したものであり、図の中で左方のものは打球が飛入して可変扉１４が起立姿勢に変換し、右方のものは打球の飛入がないことによって水平姿勢を保持した状態を示している。
【００８４】
この状態において左方の可変扉１４は後端部を下げることによって係合片９５が下り、その側面に当接していた係止片９９が支えを失うことによって可変扉１４側に滑合部９８の重量を受けて突き出すことになる。そして、これに伴い係合片９５の前縁９５ａに係止片９９の弧状の縁１０１が滑合し、重錘９１の重量を受けて水平姿勢に戻ろうとする可変扉１４をロックすることになる。
【００８５】
可変扉１４の後端部に突設した突片９３は、可変扉１４が起立姿勢に変換するまで上面に受けた入賞球Ｐが落下しないように保持する役目をもち、可変扉１４が確実に起立し、同時に前記係止片９９が係合片９５をロックしたとき、球Ｐは突片９３の傾斜に従って受枠１３の後壁下端に設ける出口１０３（図３９参照）から放出されることになる。
一方、可変扉１４を起立姿勢にロックした係止部材８６は、係止片９９が支えを失うことによって重量の大な滑合部９８を支軸９７を支点に下げ、先に下降位置に待機する連動杆７４の重錘ピン８４の上に重なり、次の押し上げに備えることになる。
【００８６】
この様にして左方の小飛入口１１における可変扉１４及び係止部材８６の動きに対して、未だ打球の飛入のない右方の小飛入口１１の可変扉１４と係止部材８６は打球の飛入に備えて可変扉１４を水平姿勢に保持したまゝにあり、次に受部１２に打球の飛入があったとき、前述した左方の可変扉１４及び係止部材８６と同一の動きを通して可変扉１４をロックし、係止部材８６の滑合部９８を重錘ピン８４の上に重ねることになる。
【００８７】
ところで、本実施例では左右の翼片部７ａ，７ａに各２個づつの小飛入口１１並びに受部１２を備え、これらの小飛入口１１に対して昇降台７３に連結した２本の連動杆７４，７４の各外端を伸してそれぞれの重錘ピン８４を前述するように小飛入口１１を開閉する可変扉１４と係止部材８６に関係付ける構造としたことにより、特定入賞口２８を通して昇降台７３に入賞球Ｐが受け入れられると、この昇降台の下降に伴って前記ピン８４，８４が上昇し、全ての係止部材８６の滑合部９８が押上げられることになる。そのためそれぞれの係止片９９が係合片９５から離れることになる結果、可変扉１４のロック状態が解除され、各可変扉１４はその重錘９１による重心の偏在によって起立した状態から水平姿勢に変換し、全ての小飛入口１１を開放することになる。
それと同時に、各小飛入口１１は打球が飛入することにより個別に可変扉１４を回転させて小飛入口１１を閉塞すると共に、可変扉１４を前述のように係止部材８６によって起立姿勢にロックすることになる。
【００８８】
尚、図中の符号１０４は前記飛入口２７及び特別乃至普通入賞口２８，２９に装着した検出スイッチ６７，６８，２７ａの中継基板であり、１０５はこの中継基板１０４を固定するための取付枠である。そして、１０６及び１０７は各種の演出に合せて点滅させるＬＥＤを前面に多数備えたＬＥＤ基板である。
【００８９】
以上説明するように、本発明に係る入賞装置は、第１の入賞口に当る前記入賞室２６に飛入した入賞球Ｐを受け取ることによって下降し、また放出することによって上昇する昇降台７３と、この昇降台７３の上下動によって支軸８１を支点に揺動し、外端に備える重錘を兼ねたピン８４を上下動させる連動杆７４とを備える連動機構７１を内臓するものであるから、前記第１の入賞口に入賞する球Ｐの重量を受けて第２の入賞口である個々の小飛入口１１に備える可変扉１４を開放するに当って、この入賞球Ｐを直接前記連動杆７４に作用させることがない。従って、入賞球Ｐの重量を全て昇降台７３に掛け、この昇降台の昇降動を利用して連動杆７４を揺動させ、第２の入賞口たる前記飛入口１１を開閉操作する可変扉を作動することができるものであることから、球Ｐの落下移動と連動杆７４の揺動運動の間で接触の変化によって連動杆に対する荷重に差を生じたり、或いは球Ｐの落下誘導が円滑に行われないことによって不要な抵抗を受け、連動杆に対して充分に重量を掛けられないと言った不具合を完全に解消することができる。
【００９０】
ことに、入賞球Ｐが連動杆７４の端部との接触において、或いは連動杆の揺動に伴う接触の変化によって連動杆に対する球Ｐの重量の作用に差を生じることがないので常に球の重量を連動杆７４に均一に、且つ安定的に負荷することができることから安定した入賞装置を提供することができる。
またこの連動機構７１の揺動に伴うピン８４の上昇によってロック状態を解除する係止部材８６、そしてこの係止部材によってロック状態を解除される可変扉１４を備えるロック機構７２は確実に可変扉１４の開閉動を制御するものとなる。しかも、ここにおいては全く動力を要することなくパチンコ球の重量のみによって作動することからモータ等の動力を準備することなく、また電気的制御も行われないことから不正行為が介入する危険もないことになる。
【図面の簡単な説明】
【００９１】
【図１】本発明に係る入賞装置の使用状態を説明する正面図。
【図２】正面側から見た入賞装置の斜視図。
【図３】背面側から見た入賞装置の斜視図。
【図４】正面側から見た入賞装置の分解斜視図。
【図５】背面側から見た入賞装置の分解斜視図。
【図６】図４の前半部分の斜視図。
【図７】図４の後半部分の斜視図。
【図８】図５の前半部分の斜視図。
【図９】図５の後半部分の斜視図。
【図１０】入賞装置の箱枠体とその内部に収められる振り分け部材、ステージ板、第２ステージ板の関係を示す正面図。
【図１１】図１０の斜視図。
【図１２】駆動機構の正面側から見た斜視図。
【図１３】駆動機構の背面側から見た斜視図。
【図１４】駆動機構の本体部分の斜視図。
【図１５】（Ａ）ステージ板が水平な状態にあり、振り分け部材が下降位置にあるときの入賞球の転がりを説明する斜視図。              （Ｂ）ステージ板が水平な状態にあり、振り分け部材が下降位置にあるときの入賞球の転がりを説明する右側面図。
【図１６】（Ａ）ステージ板が後傾した状態にあり、振り分け部材が下降位置にあるときの入賞球の転がりを説明する斜視図。              （Ｂ）ステージ板が後傾した状態にあり、振り分け部材が下降位置にあるときの入賞球の転がりを説明する右側面図。
【図１７】（Ａ）ステージ板が後傾した状態にあり、振り分け部材が上昇位置にあるときの入賞球の転がりを説明する斜視図。              （Ｂ）ステージ板が後傾した状態にあり、振り分け部材が上昇位置にあるときの入賞球の転がりを説明する右側面図。
【図１８】取付板に対する連動機構とロック機構の関係を示す背面図。
【図１９】図１８の斜視図。
【図２０】図１８の拡大中央縦断左側面図。
【図２１】昇降台が上昇位置にあり、連動杆の外端に備えるピンが下降位置にある状態を説明する背面図。
【図２２】図２１の斜視図。
【図２３】図２１の拡大中央縦断左側面図。
【図２４】昇降台が下降し、連動杆の外端に備えるピンが上昇してロック機構のロック状態を解除した状態を説明する背面図。
【図２５】図２４の拡大中央縦断左側面図。
【図２６】連動機構を構成する昇降台と連動杆の分解斜視図。
【図２７】連動杆のピンが下降位置にあって起立姿勢にある可変扉をロックした状態を説明する拡大正面図。
【図２８】図２７の斜視図。
【図２９】図２７の背面図。
【図３０】図２９の斜視図。
【図３１】連動杆のピンが上昇位置にあって可変扉のロック状態を解除したことに伴って可変扉が水平に転倒した状態を説明する正面図。
【図３２】図３１の斜視図。
【図３３】図３１の背面図。
【図３４】図３３の斜視図。
【図３５】連動杆のピンが下降位置にあって左方の可変扉が起立してロックされた状態にあり、右方の可変扉が水平姿勢にあってロック解除の状態にあることを説明する正面図。
【図３６】図３５の斜視図。
【図３７】連動杆とロック機構を構成する係止部材、可変扉との関係を説明する正面側から見た分解斜視図。
【図３８】連動杆とロック機構を構成する係止部材、可変扉との関係を説明する背面側から見た分解斜視図。
【図３９】可変扉が起立姿勢にあって小飛入口を閉塞した状態を説明する縦断右側面図。
【図４０】可変扉が水平姿勢にあって小飛入口が開放した状態を説明する縦断右側面図。
【符号の説明】
【００９２】
１                遊技盤
３                入賞装置
４                遊技部
７                取付板
７ａ              取付板の翼片部
８                開口部
９                箱枠体
１０              前飾り枠
１１              第２の入賞口となる小飛入口
１２              受部
１３              受枠
１４              可変扉
１５              ステージ板
１５ａ            ステージ板の前縁部
１５ｂ            ステージ板の後縁部
１６              第２ステージ板
１７              振り分け部材
１７ａ            仕切り突起部
２６              入賞室
２７              飛入口
２８              第１の入賞口となる特定入賞口
２９              普通入賞口
３６              駆動機構
３７              モータ
７１              連動機構
７２              ロック機構
７３              昇降台
７４              連動杆
７５              摺動枠となるカバー
７７              昇降台の上下の移動を案内する縦長孔
７８              球受部
８１              連動杆を揺動自由に支持する支軸
８２              連動杆の内端に設けた連結のための軸部
８３              昇降台に設けた連結のための横長の長孔                          ８４              重錘ピン
８６              係止部材
９５              係合片
９５ａ            係合片の前縁
９６              係止部材の軸受部
９８              係止部材の滑合部
９９              係止部材の係止片
【図１】
2007267937.tif 000003
【図２】
2007267937.tif 000004
【図３】
2007267937.tif 000005
【図４】
2007267937.tif 000006
【図５】
2007267937.tif 000007
【図６】
2007267937.tif 000008
【図７】
2007267937.tif 000009
【図８】
2007267937.tif 000010
【図９】
2007267937.tif 000011
【図１０】
2007267937.tif 000012
【図１１】
2007267937.tif 000013
【図１２】
2007267937.tif 000014
【図１３】
2007267937.tif 000015
【図１４】
2007267937.tif 000016
【図１５】
2007267937.tif 000017
【図１６】
2007267937.tif 000018
【図１７】
2007267937.tif 000019
【図１８】
2007267937.tif 000020
【図１９】
2007267937.tif 000021
【図２０】
2007267937.tif 000022
【図２１】
2007267937.tif 000023
【図２２】
2007267937.tif 000024
【図２３】
2007267937.tif 000025
【図２４】
2007267937.tif 000026
【図２５】
2007267937.tif 000027
【図２６】
2007267937.tif 000028
【図２７】
2007267937.tif 000029
【図２８】
2007267937.tif 000030
【図２９】
2007267937.tif 000031
【図３０】
2007267937.tif 000032
【図３１】
2007267937.tif 000033
【図３２】
2007267937.tif 000034
【図３３】
2007267937.tif 000035
【図３４】
2007267937.tif 000036
【図３５】
2007267937.tif 000037
【図３６】
2007267937.tif 000038
【図３７】
2007267937.tif 000039
【図３８】
2007267937.tif 000040
【図３９】
2007267937.tif 000041
【図４０】
2007267937.tif 000042